(57)【要約】【課題】レトロフォーカス型の広角レンズ系であって、諸収差、特に特に球面収差、歪曲収差、色収差が良好に補正された画角が８０゜前後の高性能な広角レンズ系を得る。【解決手段】物体側から順に、正又は負の前群、絞り、及び正の後群からなり、前群は軸上空気間隔が最大のところを境にして、物体側に位置する負の第１ａレンズ群と像側に位置する正の第１ｂレンズ群からなり、次の条件式（１）及び（２）を満足することを特徴とする広角レンズ系。（１）-０．１５＜ｆ／ｆＦ＜０．２５（２）-０．８＜ｆ１ａ／ｆ＜-０．５５但し、ｆ；全系の焦点距離、ｆＦ；前群の焦点距離、ｆ１ａ；第１ａレンズ群の焦点距離。【選択図】図１
2007292977.tif 000002
【特許請求の範囲】
【請求項１】
物体側から順に、正又は負の前群、絞り、及び正の後群からなり、前群は軸上空気間隔が最大のところを境にして、物体側に位置する負の第１ａレンズ群と像側に位置する正の第１ｂレンズ群からなり、次の条件式（１）及び（２）を満足することを特徴とする広角レンズ系。
（１）-０．１５＜ｆ／ｆＦ＜０．２５
（２）-０．８＜ｆ１ａ／ｆ＜-０．５５
但し、
ｆ；全系の焦点距離、
ｆＦ；前群の焦点距離、
ｆ１ａ；第１ａレンズ群の焦点距離。
【請求項２】
請求項１記載の広角レンズ系において、次の条件式（３）を満足する広角レンズ系。
（３）１．１＜ｆＲ／ｆ＜１．７５
但し、
ｆＲ；後群の焦点距離。
【請求項３】
請求項１または２記載の広角レンズ系において、次の条件式（４）を満足する広角レンズ系。
（４）０．１＜ｄ／ｆ＜０．３５
但し、
ｄ；前群と後群の軸上空気間隔。
【請求項４】
請求項１ないし３のいずれか１項記載の広角レンズ系において、第１ａレンズ群は、物体側から順に、物体側に凸の第１正レンズ、物体側に凸の負メニスカスレンズからなる第２レンズ及び物体側に凸の負メニスカスレンズからなる第３レンズからなり、第１ｂレンズ群は、両凸の第４正レンズからなる広角レンズ系。
【請求項５】
請求項４記載の広角レンズ系において、上記第４正レンズは全系のレンズ中で最も軸上厚さが厚い広角レンズ系。
【請求項６】
請求項１ないし５のいずれか１項記載の広角レンズ系において、後群は、物体側から順に、正負の貼合せレンズ、両凹の負レンズ、及び２枚の正レンズからなる広角レンズ系。
【請求項７】
請求項６記載の広角レンズ系において、次の条件式（５）を満足する広角レンズ系。
（５）νＲ-４＞７０
但し、
νＲ-４；後群中の物体側から４枚目の正レンズのアッベ数。
【発明の詳細な説明】
【技術分野】
【０００１】
本発明は、中判カメラ用として好適な広角レンズ系に関する。
【背景技術】
【０００２】
焦点距離に対して比較的長いバックフォーカスを必要とする一眼レフカメラ用の広角レンズ系としては、負のパワーを物体寄りに配置したレトロフォーカス型が広く用いられており、そのパワー配置、レンズ構成、寸法構成等について各種の提案がなされている。
【特許文献１】特開平４-１９１７１５号公報
【特許文献２】特開平７-２６１０７６号公報
【発明の開示】
【発明が解決しようとする課題】
【０００３】
本発明は、レトロフォーカス型の広角レンズ系であって、諸収差、特に球面収差、歪曲収差、色収差が良好に補正された画角が８０゜前後の高性能な広角レンズ系を得ることを目的とする。
【課題を解決するための手段】
【０００４】
本発明の広角レンズ系は、物体側から順に、正又は負の前群、絞り、及び正の後群からなり、前群は軸上空気間隔が最大のところを境にして、物体側に位置する負の第１ａレンズ群と像側に位置する正の第１ｂレンズ群からなり、次の条件式（１）及び（２）を満足することを特徴としている。
（１）-０．１５＜ｆ／ｆＦ＜０．２５
（２）-０．８＜ｆ１ａ／ｆ＜-０．５５
但し、
ｆ；全系の焦点距離、
ｆＦ；前群の焦点距離、
ｆ１ａ；第１ａレンズ群の焦点距離、
である。
【０００５】
本発明の広角レンズ系は、次の条件式（３）を満足することが好ましい。
（３）１．１＜ｆＲ／ｆ＜１．７５
但し、
ｆＲ；後群の焦点距離、
である。
【０００６】
また、次の条件式（４）を満足することが好ましい。
（４）０．１＜ｄ／ｆ＜０．３５
但し、
ｄ；前群と後群の軸上空気間隔、
である。
【０００７】
第１ａレンズ群は、具体的には例えば、物体側から順に、物体側に凸の第１正レンズ、物体側に凸の負メニスカスレンズからなる第２レンズ及び物体側に凸の負メニスカスレンズからなる第３レンズから構成することができ、第１ｂレンズ群は、両凸の第４正レンズから構成することができる。
【０００８】
この第４正レンズは全系のレンズ中で最も軸上厚さが厚いレンズとすることが好ましい。
【０００９】
後群は、具体的には例えば、物体側から順に、正負の貼合せレンズ、両凹の負レンズ、及び２枚の正レンズから構成することができる。
【００１０】
本発明の広角レンズ系は、次の条件式（５）を満足することが好ましい。
（５）νＲ-４＞７０
但し、
νＲ-４；後群中の物体側から４枚目の正レンズのアッベ数、
である。
【発明の効果】
【００１１】
本発明によれば、レトロフォーカス型の広角レンズ系であって、諸収差、特に特に球面収差、歪曲収差、色収差が良好に補正された画角が８０゜前後の高性能な広角レンズ系を得ることができる。
【発明を実施するための最良の形態】
【００１２】
本実施形態の広角レンズ系は、図１、図３、図５、図７、図９及び図１１の各実施例に示すように、物体側から順に、絞りＳで分けられる正又は負の前群１０と正の後群２０を有している。前群１０は、正負いずれのパワーも可能であり、物体側から順に、空気間隔最大のところで分けられる負の第１ａレンズ群１１と正の第１ｂレンズ群１２からなっている。また、全ての実施例において、第１ａレンズ群１１は、物体側から順に、物体側に凸の正レンズ（第１レンズ）、物体側に凸の負メニスカスレンズ（第２レンズ）及び物体側に凸の負メニスカスレンズ（第３レンズ）からなり、第１ｂレンズ群１２は、両凸正レンズ（第４レンズ）からなっている。また、後群２０は、物体側から順に、両凸正レンズ（第５レンズ）と像側に凸の負メニスカスレンズ（第６レンズ）の貼合せレンズ、両凹負レンズ（第７レンズ）、像側に凸の正メニスカスレンズ（第８レンズ）、及び像側に凸の正レンズ（第９レンズ）からなっている。
【００１３】
レトロフォーカス型のレンズは一般に、全系の焦点距離よりも長いバックフォーカスを得るもので、そのために絞りＳに対して非対称なパワー配置をとっている。そのため、必要とするバックフォーカスを確保したままレンズ系を短くしようとすると、歪曲収差、非点収差、球面収差等の諸収差の補正が困難である。負のパワーの第１ａレンズ群は、前群での歪曲収差の発生を抑えるために、少なくとも１枚の正レンズを含む複数のレンズから構成されている。第１ａレンズ群は全体としては負のパワーを与えるので、少なくとも１枚の負レンズが含まれており、このため、非点収差、歪曲収差、色収差の補正が可能である。また、物体側に凸の正レンズを最も物体側に配置することにより、より良好に諸収差（歪曲収差）の補正を行うことができる。また、絞りＳの物体側近傍に厚みのある正レンズ（全系で最も厚い正レンズ）を配置することで歪曲収差をより良好に補正することが可能である。
【００１４】
正のパワーの後群に関しては、軸外収差に与える影響を小さく保ったまま全系で発生する球面収差を補正するために、負の球面収差を発生させる少なくとも１枚の負レンズを含ませている。そして、球面収差やコマ収差の発生を抑えるために、３枚の正レンズを含ませている。また、絞りＳに近い正負レンズを貼り合わせて１組の貼合せレンズとすることにより、高次の球面収差を良好に補正している。
【００１５】
条件式（１）は、前群のパワーに関する条件式である。条件式（１）の範囲を超えて前群のパワーが強くなると、バックフォーカスは確保できるが、このレンズ群で発生する諸収差特に歪曲収差が大きくなりすぎて補正が困難になる。この条件式（１）の上限を０．２にする（（１’）-０．１５＜ｆ／ｆＦ＜０．２）とより良好に歪曲収差を補正できる。
【００１６】
条件式（２）は、前群内の第１ａレンズ群のパワーに関する条件式である。条件式（２）の上限を超えて第１ａレンズ群のパワーが強くなると、バックフォーカスの確保には有利であるが、非点収差や像面湾曲などの補正が困難となる。条件式（２）の下限を超えて第１ａレンズ群のパワーが弱くなると、バックフォーカスを確保するために全長が長くなる。これを回避するためには、第１ｂレンズ群も負のパワーを持つ必要がある。しかし、第１ｂレンズ群に負のパワーを持たせると、第１ａレンズ群で発生する非点収差や像面湾曲を補正できなくなるので好ましくない。この条件式（２）は、上限を-０．６、下限を-０．７５にする（（２’）-０．７５＜ｆ１a／ｆ＜-０．６）と、バックフォーカスを確保しつつ、諸収差を良好に補正できる。
【００１７】
条件式（３）は、後群のパワーに関する条件式である。条件式（３）の上限を超えて後群のパワーが弱くなると、非点収差が悪化し補正が困難になる。条件式（３）の下限を超えて後群のパワーが強くなると、球面収差、コマ収差が大きく発生し好ましくない。この条件式（３）の下限を１．３にする（（３’）１．３＜ｆＲ／ｆ＜１．７５）と、より良好に収差補正を行うことが可能である。
【００１８】
条件式（４）は、前群と後群の間隔に関する条件式である。条件式（４）の上限を超えると、レンズ全系が長くなり小型化が困難である。条件式（４）の下限を超えると像面湾曲や非点収差の補正が困難になる。この条件式（４）の上限を０．３にする（（４‘）０．１＜ｄ／ｆ＜０．３）と、全長を十分に短く保つことができ、より好ましい。
【００１９】
条件式（５）は、後群中の物体側から４番目の正レンズ（第８レンズ）に関する条件である。第８レンズに、条件式（５）の下限を超えるアッベ数をもつ硝材を使用すると、軸上色収差、倍率色収差の補正が困難になる。下限を８０にする（（５’）νＲ-４＞８０）と、より良好な色収差補正が行える。
【００２０】
次に具体的な実施例を示す。諸収差図及び表中、ＳＡは球面収差、ＳＣは正弦条件、球面収差で表される色収差（軸上色収差）図及び倍率色収差図中のｄ線、ｇ線、Ｃ線はそれぞれの波長に対する収差、Ｓはサジタル、Ｍはメリディオナル、Ｗは半画角（゜）、FはＦナンバー、ｆは全系の焦点距離、fBはバックフォーカス、ｙは最大像高、ｒは曲率半径、ｄはレンズ厚またはレンズ間隔、Ｎd はｄ線の屈折率、νはアッベ数を示す。
【実施例１】
【００２１】
図１及び図２と表１は本発明による広角レンズ系の実施例１を示している。図１はレンズ構成図、図２はその諸収差図、表１はその無限遠撮影状態における数値データである。
本実施例の広角レンズ系は、物体側から順に、負の前群１０、絞りＳ、及び正の後群２０からなる。前群１０は、物体側から順に、空気間隔最大のところで分けられる負の第１ａレンズ群１１と、正の第１ｂレンズ群１２からなる。より具体的には、第１ａレンズ群１１は、物体側から順に、物体側に凸の正メニスカスレンズ（第１レンズ）と、物体側に凸の負メニスカスレンズ（第２レンズ）と、物体側に凸の負メニスカスレンズ（第３レンズ）からなり、第１ｂレンズ群１２は、両凸正レンズ（第４レンズ）からなっている。第４レンズは全系で最も厚いレンズである。また、後群２０は、物体側から順に、物体側から順に位置する両凸正レンズ（第５レンズ）と像側に凸の負メニスカスレンズ（第６レンズ）の貼合せレンズ、両凹負レンズ（第７レンズ）、像側に凸の正メニスカスレンズ（第８レンズ）、及び両凸正レンズ（第９レンズ）からなっている。絞りＳは、第９面（後群２０）の極から前方4.18にある。
（表１）
F = 1:  2.9
f  = 41.20
W  = 40.4
fB = 61.02
面NO      r         d         Nd         ν
1      87.327      4.65    1.69680    55.5
2     393.241      0.10
3      54.823      1.60    1.83400    37.2
4      23.839      5.12
5      58.580      1.53    1.83400    37.2
6      23.327     16.04
7      36.872      8.81    1.83444    24.2
8    -466.414     11.00
9      79.528      5.88    1.63679    62.2
10     -21.592      1.70    1.68104    35.5
11     -41.570      2.12
12     -29.632      2.00    1.80320    26.6
13      52.125      2.30
14     -67.389      3.46    1.49700    81.6
15     -23.906      3.25
16     142.613      4.08    1.78135    48.4
17     -68.707       -
【実施例２】
【００２２】
図３及び図４と表２は本発明による広角レンズ系の実施例２を示している。図３はレンズ構成図、図４はその諸収差図、表２はその無限遠撮影状態における数値データである。後群２０は、物体側から順に、物体側から順に位置する両凹負レンズ（第５レンズ）と両凸正レンズ（第６レンズ）の貼合せレンズ、両凹負レンズ（第７レンズ）、像側に凸の正メニスカスレンズ（第８レンズ）、及び像側に凸の正メニスカスレンズ（第９レンズ）からなっている。貼合せレンズの正負の順と、第９レンズの形状が実施例１と異なる。その他の基本的なレンズ構成は、実施例１と同様である。絞りＳは、第９面（後群２０）の極から前方2.65にある。
（表２）
F = 1:  2.9
f  = 41.00
W  = 38.9
fB = 65.00
面NO      r         d         Nd         ν
1     100.526      3.96    1.58913    61.2
2     622.518      0.10
3      46.136      1.50    1.83481    42.7
4      19.896      5.27
5      51.711      1.30    1.77250    49.6
6      23.464     12.23
7      33.815      9.25    1.71747    28.9
8    -129.019      8.65
9    -405.267      1.70    1.63031    43.0
10      29.669      5.76    1.70794    53.2
11     -38.620      2.61
12     -25.726      2.73    1.80499    25.7
13      66.413      2.14
14     -99.062      3.92    1.49700    81.6
15     -25.000      0.10
16   -1886.646      3.77    1.83261    43.0
17     -44.472       -
【実施例３】
【００２３】
図５及び図６と表３は本発明による広角レンズ系の実施例３を示している。図５はレンズ構成図、図６はその諸収差図、表３はその無限遠撮影状態における数値データである。基本的なレンズ構成は、第９レンズが両凸正レンズであることを除き、実施例２と同様である。絞りＳは、第９面（後群２０）の極から前方2.28にある。
（表３）
F = 1:  2.9
f  = 41.01
W  = 40.6
fB = 61.33
面NO      r         d         Nd         ν
1      76.111      5.06    1.58913    61.2
2     459.210      0.10
3      65.994      2.28    1.83481    37.1
4      20.680      4.74
5      42.214      1.30    1.77250    49.6
6      24.162     14.84
7      40.186      8.22    1.80400    26.5
8    -201.664      9.03
9     328.084      1.70    1.60001    52.5
10      22.326      6.52    1.69051    55.8
11     -42.759      2.66
12     -30.820      2.00    1.82935    25.7
13      49.507      2.13
14    -147.179      3.90    1.49700    81.6
15     -25.000      0.10
16     198.602      3.40    1.77280    49.6
17     -65.950       -
【実施例４】
【００２４】
図７及び図８と表４は本発明による広角レンズ系の実施例４を示している。図７はレンズ構成図、図８はその諸収差図、表４はその無限遠撮影状態における数値データである。本実施例においては、前群１０は負のパワーを有するが、基本的なレンズ構成は実施例３と同様である。絞りＳは、第９面（後群２０）の極から前方3.19にある。
（表４）
F = 1:  2.9
f  = 41.20
W  = 40.4
fB = 65.14
面NO      r         d         Nd         ν
1      93.423      3.87    1.58913    61.2
2     680.059      0.10
3      48.938      1.50    1.77250    49.6
4      20.815      4.44
5      49.373      2.77    1.83127    43.1
6      20.661      9.82
7      34.515      9.36    1.66088    32.3
8    -104.280      8.64
9    -216.891      4.33    1.60528    51.8
10      33.626      7.16    1.78967    41.0
11     -32.090      1.76
12     -25.767      2.59    1.80500    25.6
13      64.805      2.06
14     -95.292      3.76    1.49700    81.7
15     -24.730      0.10
16    1233.259      3.73    1.69986    55.2
17     -46.698
【実施例５】
【００２５】
図９及び図１０と表５は本発明による広角レンズ系の実施例５を示している。図９はレンズ構成図、図１０はその諸収差図、表５はその無限遠撮影状態における数値データである。本実施例においては、前群１０は負のパワーを有し、基本的なレンズ構成は実施例４と同様である。絞りＳは、第９面（後群２０）の極から前方2.83にある。
（表５）
F = 1:  2.9
f  = 41.20
W  = 40.5
fB = 64.79
面NO      r         d         Nd         ν
1      91.506      3.89    1.58913    61.2
2     609.273      0.10
3      47.996      1.53    1.77250    49.6
4      21.176      4.34
5      49.678      2.68    1.83481    42.1
6      20.265      9.97
7      35.065      9.05    1.67494    31.4
8    -115.962      7.90
9    -342.950      5.70    1.62130    49.8
10     32.655      7.14    1.78891    41.2
11    -32.723      1.88
12    -26.061      2.30    1.80499    25.6
13     64.505      2.13
14    -85.198      3.73    1.49701    81.7
15    -24.213      0.10
16    852.511      3.75    1.69680    55.5
17    -46.887      -
【実施例６】
【００２６】
図１１及び図１２と表６は本発明による広角レンズ系の実施例６を示している。図１１はレンズ構成図、図１２はその諸収差図、表６はその無限遠撮影状態における数値データである。基本的なレンズ構成は実施例１と同様である。絞りＳは、第９面（後群２０）の極から前方4.17にある。
（表６）
F = 1:  2.9
f  = 41.20
W  = 40.5
fB = 61.36
面NO      r         d         Nd         ν
1      89.656     4.46    1.69680     55.5
2     367.272     0.10
3      53.342     1.60    1.83400     37.2
4      23.779     5.13
5      58.193     1.53    1.83400     37.2
6      23.388    16.18
7      36.830    10.65    1.83444     24.2
8    -466.374    10.17
9      78.923     5.92    1.62797     61.9
10    -22.713     1.71    1.67802     31.5
11    -42.137     2.13
12    -29.874     2.00    1.80500     26.6
13     52.591     2.37
14    -61.740     3.37    1.49700     81.6
15    -24.022     1.90
16    142.409     3.85    1.80221     45.9
17    -67.249      -
【００２７】
各実施例の各条件式に対する値を表７に示す。
（表７）
実施例１  実施例２  実施例３  実施例４  実施例５  実施例６
条件式（１）  0.17     0.15     0.14     -0.10     -0.13     0.18
条件式（２） -0.71    -0.66    -0.72     -0.62     -0.63    -0.71
条件式（３）  1.73     1.69     1.71      1.40      1.38     1.75
条件式（４）  0.27     0.21     0.22      0.21      0.19     0.25
条件式（５）  81.61    81.61    81.61     81.74     81.75    81.61
【００２８】
表７から明らかなように、実施例１ないし６は条件式（１）〜（５）を満足しており、また諸収差図から明らかなように諸収差、特に球面収差、歪曲収差、色収差が比較的よく補正されている。
【図面の簡単な説明】
【００２９】
【図１】本発明による広角レンズ系の実施例１のレンズ構成図である。
【図２】図１の構成における諸収差図である。
【図３】本発明による広角レンズ系の実施例２のレンズ構成図である。
【図４】図３の構成における諸収差図である。
【図５】本発明による広角レンズ系の実施例３のレンズ構成図である。
【図６】図５の構成における諸収差図である。
【図７】本発明による広角レンズ系の実施例４のレンズ構成図である。
【図８】図７の構成における諸収差図である。
【図９】本発明による広角レンズ系の実施例５のレンズ構成図である。
【図１０】図９の構成における諸収差図である。
【図１１】本発明による広角レンズ系の実施例６のレンズ構成図である。
【図１２】図１１の構成における諸収差図である。
【図１】
2007292977.tif 000003
【図２】
2007292977.tif 000004
【図３】
2007292977.tif 000005
【図４】
2007292977.tif 000006
【図５】
2007292977.tif 000007
【図６】
2007292977.tif 000008
【図７】
2007292977.tif 000009
【図８】
2007292977.tif 000010
【図９】
2007292977.tif 000011
【図１０】
2007292977.tif 000012
【図１１】
2007292977.tif 000013
【図１２】
2007292977.tif 000014